(57)【特許請求の範囲】
【請求項１】
組み立て状態で、設置面から所定角度で斜めに傾斜して、シート体の両側部にそれぞれ並列的に配置される傾斜ロッド及び、各傾斜ロッドの先端から後方に延長される水平ロッドを備える一対の脚部フレームと、
前記シート体の各側部にそれぞれ配置されて前記一対の脚部フレームをそれぞれ支持する２つのコネクタと、
前記各コネクタにより支持され、基端部が各コネクタから、前方へ向かって、前記各脚部フレームと並列的に延びており、かつ前方に向かって、前記各脚部フレームの傾斜角度よりも上を向く角度で延びていると共に、各先端部が一体となるように閉じられた足受けフレームと、
各下端部が前記各コネクタよりも上方にそれぞれ着脱可能に取付けられ、この取付け箇所よりも上方で連結された背もたれフレームと
を有するフレーム体と、
前記背もたれフレーム及び足受けフレームに装着されるシート体と
を備えており、
前記フレーム体の折り畳みの際には、前記傾斜ロッドと、前記足受けフレームの両基端部を並列的に支持する前記コネクタが、前記傾斜ロッドと、前記足受けフレームの両基端部に対してその仮想の中心軸回りに相対的に回動することにより、前記各傾斜ロッドの傾斜の向きと、前記足受けフレームの両基端部の傾斜の向きを変位させる構成とした
ことを特徴とする、乳幼児用折り畳みシート。
【請求項２】
前記各コネクタに対して、前記各傾斜ロッドが、その軸回りに回動すると共に、前記足受けフレームの各基端部は、前記各コネクタに対して、軸回りの回動を阻止されていることを特徴とする、請求項１に記載の乳幼児用折り畳みシート。
【請求項３】
前記足受けフレームの各基端部は、前記各コネクタから露出した箇所で、前記足受けフレームの先端部であるループ状部分の両端に対して、軸回りに回動可能に接続されていることを特徴とする、請求項１または２に記載の乳幼児用折り畳みシート。
【請求項４】
前記一対の脚部フレームの前記傾斜ロッドの先端から後方に延長される各水平ロッドの終端部には、それぞれコーナ部材が固定され、各コーナ部材の間が連結ロッドにより連結されており、かつ一方のコーナ部材には、前記連結ロッドの一端が回動自在に固定されると共に、この連結ロッドの他端が、前記他方のコーナ部材に着脱される構成としたことを特徴とする、請求項１ないし３のいずれかに記載の乳幼児用折り畳みシート。
【請求項５】
前記連結ロッドの他端には、断面が非円形の連結部材が取付けられており、この連結部材により、前記他方のコーナ部材に対して着脱されると共に、前記連結部材に設けられた操作片の係止手段が、前記他方のコーナ部材の被係止手段に対して係止される構成としたことを特徴とする、請求項４に記載の乳幼児用折り畳みシート。
【請求項６】
前記シート体の上面には、乳幼児の身体の少なくとも下半身部分を保持するための保持部を備え、この保持部が、乳幼児の身体の両足を通過させる２つの孔の間を形成する股当て部と、この股当て部の上端付近を左右方向に関して支持すると共に、この支持状態を左右方向の少なくとも一方で固定解除する着脱ベルトが設けられており、前記折り畳みの際には、この着脱ベルトの内側に前記脚部フレームを通して固定する構成とした、ことを特徴とする、請求項１ないし５のいずれかに記載の乳幼児用折り畳みシート。
【請求項７】
前記背もたれブレームが前記取付けがされる接続箇所において、軸回りの回動が阻止される構成とされたことを特徴とする、請求項１ないし６のいずれかに記載の乳幼児用折り畳みシート。
【発明の詳細な説明】
【０００１】
【発明の属する技術分野】
この発明は、生後０ないし９か月程度で、特に、自ら立ち上がることや、座ることができない乳幼児を、シート体の上に斜めに寝かせた状態で保持でき、不使用時には、簡単に折り畳むことができる乳幼児用折り畳みシートに関するものである。
【０００２】
【従来の技術】
従来の乳幼児用折り畳みシートとしては、図１９に示すものが知られている。乳幼児用折り畳みシート１は、フレームで斜めに支えたシート体２を備えており、シート体２の上面には、乳幼児の下半身（図示せず）を保持するのに適合した保持部３が設けられている。
保持部３は、股部５を備え、股部５の両側には、乳幼児の両足を挿通するための貫通孔４，４が形成されており、股部５の上端は、左右方向に延長されて、シート体２の両側面付近にそれぞれ接続されていて、これにより、保持部３は、全体として、パンツの一部のような構成により、乳幼児の下半身を保持するようになっている。
このため、保持部３により下半身を保持された乳幼児は、シート体２の上部に背中を支持された状態で、斜めに寝るようにして、乳幼児用折り畳みシート１の上で過ごすことができるようになっている。
【０００３】
図２０は、図１９の乳幼児用折り畳みシート１のシート体２を外して、そのフレーム構造を示したものである。
図２０において、フレーム体６は、両側に配置したコネクタ８，８にそれぞれとりつけられた一対の脚部フレーム７，７と、各コネクタ８，８に両端を支持されて、下方に位置するループ状の足受けフレーム９と、各コネクタ８，８に両端を支持されて、上方に位置するループ状の背もたれフレーム１０とを備えている。
【０００４】
脚部フレーム７，７は、各コネクタ８，８から、前方へ向かって斜めに傾斜した傾斜フレーム部７ｂ，７ｂと、傾斜フレーム部７ｂ，７ｂの各先端から水平に後方へ向かって延びる水平フレーム部７ａ，７ａとを有しており、水平フレーム部７ａ，７ａの各後端部には、連結部材１２，１３が固定されている。各連結部材１２，１３間には、連結フレーム１１が固定されている。
【０００５】
このようなフレーム体６は、連結フレーム１１等を外して、脚部フレーム７，７を折り畳めるようにされており、フレーム体６を図２０のように組み立てた状態においては、布等で形成したシート体２を被せることにより、図１９の形態の乳幼児用折り畳みシート１が形成されるようになっている。
【０００６】
【発明が解決しようとする課題】
このような乳幼児用折り畳みシート１では、図１９のように、シート体２の全体は比較的フラットであり、シート体２の上で乳幼児が完全に横になるにはよいが、図示のように、やや傾斜を有していると、乳幼児の身体も傾斜してしまい、傾斜に従って落下することを、股部５だけにより、阻止することになって、股部５に当接する箇所が圧迫される場合がある。
このため、乳幼児は、適切に身体が支持されないことになり、快適性に劣るという問題がある。
【０００７】
そこで、図２０に示すように、足受けフレーム９の先端側９ａが上を向くようにして、足受けフレーム９により支持されるシート体２の部分を水平に近づけ、その上に、乳幼児を安定して保持する構造が検討されている。しかしながら、このような構成を単純に採用すると、折り畳み機能に不都合が生じる。
【０００８】
すなわち、乳幼児用折り畳みシート１を折り畳む際には、連結フレーム１１の一端を対応する連結部材１２，１３から外し、脚部フレーム７，７を、コネクタ各８，８を回動中心として、それぞれ内側に向かって、矢印Ｂ，Ｂの方向へ、それぞれ回動させる。これによって、所定の傾斜角で斜めに起立していた脚部フレーム７，７は、寝かされて、背もたれフレーム１０とほぼ同一平面上に収まり、全体としてフラットな状態となる。
【０００９】
これにより、立体的な構造でなるフレーム体６をフラットな形態とすることができ、収納や持ち運びの上で、取扱いやすくすることができるものである。
ところが、図２０に示したように、足受けフレーム９について、先端側９ａが上を向くようにするために、コネクタ８，８から先端側にかけて、矢印Ａ，Ａに示すように、上向きの傾斜角を持たせると、上述のようにフレーム体６を折り畳んだ時に、この傾斜角の分だけ、平面状におさまることができなくなり、足受けフレーム９の先端側９ａが、厚み方向に膨らんでしまう。
このため、折り畳んでも、収容や持ち運びに適するように十分フラットでコンパクトな形態とすることができないという問題がある。
【００１０】
本発明は、このような問題を解決するためになされたもので、組み立てた状態においては、乳幼児は、やや上を向いた足受けフレームにより、シート体の足受けフレーム側を水平状態に近づけて、身体の安定を図ることができ、折り畳んだ状態では、この上向きの傾斜がほとんど障害となることなく、ほぼフラットな形態にまとめることができる乳幼児用折り畳みシートを提供することを目的としている。
【００１１】
【課題を解決するための手段】
上記第１の目的は、請求項１の発明によれば、組み立て状態で、設置面から所定角度で斜めに傾斜して、シート体の両側部にそれぞれ並列的に配置される傾斜ロッド及び、各傾斜ロッドの先端から後方に延長される水平ロッドを備える一対の脚部フレームと、前記シート体の各側部にそれぞれ配置されて前記一対の脚部フレームをそれぞれ支持する２つのコネクタと、前記各コネクタにより支持され、基端部が各コネクタから、前方へ向かって、前記各脚部フレームと並列的に延びており、かつ前方に向かって、前記各脚部フレームの傾斜角度よりも上を向く角度で延びていると共に、各先端部が一体となるように閉じられた足受けフレームと、各下端部が前記各コネクタよりも上方にそれぞれ着脱可能に取付けられ、この取付け箇所よりも上方で連結された背もたれフレームとを有するフレーム体と、前記背もたれフレーム及び足受けフレームに装着されるシート体とを備えており、前記フレーム体の折り畳みの際には、前記傾斜ロッドと、前記足受けフレームの両基端部を並列的に支持する前記コネクタが、前記傾斜ロッドと、前記足受けフレームの両基端部に対してその仮想の中心軸回りに相対的に回動することにより、前記各傾斜ロッドの傾斜の向きと、前記足受けフレームの両基端部の傾斜の向きを変位させる構成とした、乳幼児用折り畳みシートにより、達成される。
【００１２】
請求項１の構成によれば、２つのコネクタに支持された各脚部フレームの傾斜ロッドが支持されたコネクタが、その中心軸回りに回動されることで、各傾斜ロッドの傾斜の向きを縦方向から横方向へ変えることで、フラットとすることができるだでけなく、足受けフレームの両基端部の傾斜の向きを変位させることができ、これにより、全体をフラットな状態とすることができる。これにより、フレーム体が全体としてフラットな形態で折り畳まれる。
ここで、足受けフレームは、その閉じられた先端部に、乳幼児等の足が届かない場合にも，足受けフレームが支持するシート体上で、乳幼児の足を保持することができるものである。
【００１３】
請求項２の発明は、請求項１の構成において、前記各コネクタに対して、前記各傾斜ロッドが、その軸回りに回動すると共に、前記足受けフレームの各基端部は、前記各コネクタに対して、軸回りの回動を阻止されていることを特徴とする。
請求項２の構成によれば、前記足受けフレームの各基端部は、前記各コネクタに対して、軸回りの回動を阻止され、一方各傾斜ロッドが、その軸回りに回動することで、前記傾斜ロッドがその傾斜の向きを決められた方向に変位させることで、フラットな折り畳み状態とされる。
【００１４】
請求項３の発明は、請求項１または２の構成において、前記足受けフレームの各基端部は、前記各コネクタから露出した箇所で、前記足受けフレームの先端部であるループ状部分の両端に対して、軸回りに回動可能に接続されていることを特徴とする。
請求項３の構成によれば、先端部がループ状に閉じている前記足受けフレームが、足受けフレームの基端部に対して、軸回りに回動するように接続されているから、前記折り畳みの際に足受けフレームの基端部側が前記コネクタとともに回動しても、ねじられることがなく、必要な動きを実現できる。
【００１５】
請求項４の発明は、請求項１ないし３のいずれかの構成において、前記一対の脚部フレームの前記傾斜ロッドの先端から後方に延長される各水平ロッドの終端部には、それぞれコーナ部材が固定され、各コーナ部材の間が連結ロッドにより連結されており、かつ一方のコーナ部材には、前記連結ロッドの一端が回動自在に固定されると共に、この連結ロッドの他端が、前記他方のコーナ部材に着脱される構成としたことを特徴とする。
【００１６】
請求項４の構成によれば、一方のコーナ部材には、前記連結ロッドの一端が回動自在に固定されると共に、この連結ロッドの他端が、前記他方のコーナ部材に着脱される構成としたから、フレーム体の折り畳みの際には、連結ロッドの他端を他方のコーナ部材から外すことで、前記水平ロッドを含む脚部フレームの動きを自由にし、一方、連結ロッドを一方のコーナ部材に対して、回動させて折り畳むことができる。
【００１７】
請求項５の発明は、請求項４の構成において、前記連結ロッドの他端には、断面が非円形の連結部材が取付けられており、この連結部材により、前記他方のコーナ部材に対して着脱されると共に、前記連結部材に設けられた操作片の係止手段が、前記他方のコーナ部材の被係止手段に対して係止される構成としたことを特徴とする。
請求項５の構成によれば、連結ロッドが他方のコーナ部材に対して、非円形の連結部材により接続されるから、連結ロッドは軸回りにねじられることがなく、フレーム体の剛性が向上する。また、前記連結部材に設けられた操作片を操作するだけで係止片が他方のコーナ部材側の被係止手段に対して係止されるので、簡単な操作により連結ロッドを他方のコーナ部材に接続することができる。
【００１８】
請求項６の発明は、請求項１ないし５のいずれかの構成において、前記シート体の上面には、乳幼児の身体の少なくとも下半身部分を保持するための保持部を備え、この保持部が、乳幼児の身体の両足を通過させる２つの孔の間を形成する股当て部と、この股当て部の上端付近を左右方向に関して支持すると共に、この支持状態を左右方向の少なくとも一方で固定解除する着脱ベルトが設けられており、前記折り畳みの際には、この着脱ベルトの内側に前記脚部フレームを通して固定する構成とした、ことを特徴とする。
【００１９】
請求項６の構成によれば、股当て部の着脱ベルトを利用して、前記各部フレームを固定することで、背もたれフレーム、脚部フレームを束ねて、固定することができ、収納や持ち運びにおける取扱いが容易となる。
【００２０】
請求項７の発明は、請求項１ないし６のいずれかの構成において、前記背もたれブレームが前記取付けがされる接続箇所において、軸回りの回動が阻止される構成とされたことを特徴とする、
請求項７の構成によれば、シート体を外してから、背もたれフレームを外すことにより、コンパクトに分解でき、持ち運ぶ際のスペースをとらず、さらに、前記接続箇所で回動することを防止したので、組み立てた際の形保持性を向上させることができる。
【００２１】
さらに、追加請求項として記載可能な構成としては、前記シート体の前記背もたれフレームに支持された領域の中央付近には、シート体内部に背当て部材を収容する構成を特徴としてもよい。
この構成によれば、背当て部材の機能により、乳幼児がシート体に横になったり、背中をあずけてもたれたりした時に、背中を弾性的に支持することができ、使用感が向上する。
【００２２】
また、前記一対の脚部フレームの上端付近に対して、前記シート体の上から、幌用フレームの両端部がそれぞれ固定手段を介して取付けられる構成としてもよい。
この構成によれば、フレーム体にシート体を被せた状態で、幌用フレームを着脱することができ、幌の使用もしくは幌の使用中止の形態を簡単に選択できる。
【００２３】
また、前記固定手段に対して、前記幌用フレームの固定部が回動されるようになっており、かつ固定手段には、幌用フレームの回動位置に応じて係止するための係止手段を備えたことを特徴としてもよい。
この構成によれば、幌用フレームの回動位置の選択が容易となり、使用が簡便となる。
【００２４】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２５】
図１は、本発明の実施形態に係る乳幼児用折り畳みシート（以下、「折り畳みシート」と言う）２０の全体を示す概略斜視図である。
図において、折り畳みシート２０は、フレーム体２１に装着されることにより所定の形状に支持された、例えば布製のシート体４０を備えており、シート体４０の上面には、乳幼児の下半身（図示せず）の、特に、股から腰にかけての箇所を保持するのに適合した保持部５０が設けられている。
【００２６】
保持部５０は、股部５１を備えて、股部５１の両側には、乳幼児の両足を挿通するための貫通孔５２，５２が形成されており、股部５１の上端は、左右方向に延長されて、後述する手段によりシート体４０の両側面付近にそれぞれ接続されていて、これにより、保持部５０は、全体として、パンツの一部のような形態により、乳幼児の下半身を保持するようになっている。
折り畳みシート２０には、シート体４０の上部を覆うようにして、フレームで支持された幌６０が後述する手段により、着脱されるようになっている。保持部５０を含むシート体４０と幌６０については、後で詳しく説明する。
【００２７】
図２は、図１の折り畳みシート２０のシート体４０を外したフレーム体２１の概略分解斜視図であり、折り畳みシート２０が自立するように組み立てた状態を示している。
図において、フレーム体２１は、並列的に、それぞれ斜めに配置された一対のコネクタ２２，２２と、設置面から所定角度で斜めに上方に傾斜して延びて、コネクタ２２，２２に支持されている傾斜ロッド２５，２５及び、各傾斜ロッド２５，２５の先端から後方に延長される水平ロッド２６，２６を備える一対の脚部フレーム２７，２７を備えている。
【００２８】
さらに、各コネクタ２２，２２から、前方に向かって斜め下方に突出する基端部２８ａ，２８ａを有しており、これら基端部２８ａ，２８ａと、基端部２８ａ，２８ａに対して、後述する構成により、軸回りに回動可能に取り付けられるループ状に閉じられた先端部２８ｃとにより、足受けフレーム３０が構成されている。
そして、足受けフレーム３０の各基端部２８ａ，２８ａは、各コネクタ２２，２２を貫通して上方にそれぞれ延びて、各コネクタ２２，２２から露出した部分２８ｂ，２８ｂを備えることにより、中間ロッド２８，２８を構成している。
【００２９】
各中間ロッド２８，２８の各コネクタ２２，２２から上方に露出した上端部分２８ｂ，２８ｂには、２つの下端３２，３２が略平行に配置され、上端がループ状とされた背もたれフレーム３１の各下端３２，３２が取り付けられるようになっている。
また、背もたれフレーム３１の各下端３２，３２に対しては、後述する固定手段を用いて、図示のような略Ｕ字状の細い幌用フレーム６１が固定されるようになっている。幌用フレーム６１のＵ字状の端部には、外方に僅かに突出する固定用突起６１ａ，６１ａが一体に設けられている。
【００３０】
各脚部フレーム２７，２７の傾斜ロッド２５，２５は、図示されているように、前方へ向かって下向きの傾斜を備えており、かつ好ましくは、各コネクタ２２，２２から下方へ延出された箇所は、矢印Ｃ，Ｃに示すように、さらに外側に拡がるような傾斜を備えている。
これに対して、足受けフレーム３０の各基端部２８ａ，２８ａは、先端（下端）付近が、矢印Ｄ，Ｄで示すように、上向きに傾斜して水平に近い状態とされている。つまり、図において、中間ロッド２８及び背もたれフレーム３１の有する傾斜や脚部フレーム２７，２７の有する前方への傾斜と比べて、上を向く傾斜を有しており、これにより、足受けフレーム３０の先端部２８ｃは、上方にややせりあがって、乳幼児の身体を保持しやすいようになっている。
【００３１】
各脚部フレーム２７，２７の有する水平ロッド２６，２６は、その端部が後方に位置するように延びており、これらの各先端には、連結用のコーナ部材３４，３５が固定されている。各コーナ部材３４，３５の間には、連結ロッド３６が一端部を着脱可能にして固定されるようになっている。
ここで、例えば、脚部フレーム２７や各基端部２８は、一定の強度を確保するために、例えば、直径８ｍｍ程度の中実なステンレスや軟鉄による棒状の部材で形成されている。また、背もたれフレーム３１や足受けフレーム３０は、軽量化や各基端部２８との接合性を考慮して、例えば、中空なステンレスや軟鉄によるパイプで形成されている。
また、脚部フレームの傾斜ロッド２５，２５や背もたれフレーム３１により形成される折り畳みシート２０の傾斜角度は、１０度から４５度程度であることが好ましく、本実施形態では、４０度とされており、乳幼児が寝かされた時の疲労が少ない。また、この角度と脚部フレーム２７の剛性により、乳幼児が身体を動かした際に揺れるため、あたかも大人に抱き上げられた時の動きや間隔を使用者である乳幼児に与えることができる。
【００３２】
図３は、コネクタ２２により、中間ロッド２８と、脚部フレーム２７の傾斜ロッド２５を支持する構造を示す概略断面図である。コネクタ２２は、図２で示すように、並列的に配置されて、左右に一対設けられ、同じ構造であるから、一方だけを説明する。
図３において、コネクタ２２の右側が、図２の下側であり、左側が上側に位置する。コネクタ２２は、フレームの接続支持手段であり、例えば、合成樹脂等で成形された筒状の成形体であり、一端に内部空間２４を有する膨出部２３を有している。
【００３３】
コネクタ２２内には、長手方向に沿って中間ロッド２８が貫通しており、この中間ロッド２８は、コネクタ２２に対して固定されている。また、コネクタ２２内には、中間ロッド２８と並列的に、傾斜ロッド２５の上端部が収容されており、傾斜ロッド２５は、コネクタ２２に対して、矢印Ｆで示すようにその軸回りに回動できるように支持されている。
また、傾斜ロッド２５の端部には、軸方向と直交する方向にストッパピン２５ａが設けられており、このストッパピン２５ａは、傾斜ロッド２５の矢印Ｆ方向の回動に従って内部空間２４内を移動し、中間ロッド２８と当接することで、回り止めがされるようになっている。これにより、傾斜ロッド２５は、組み立て時において、それ以上、開く方向に回ることが阻止され、確実に形状を保持することができる。
【００３４】
コネクタ２２から露出した中間ロッド２８の足受けフレームの基端部２８ａを構成する箇所は、２８ｄの箇所で曲折されて、既に説明したように、矢印Ｄの方向に傾斜している。この曲折部２８ｄよりも先端側は、基端部２８ａの外径よりも大きな内径を備えた足受けフレーム３０の先端部２８ｃの中に入り込んでいる。ここで、基端部２８ａの外周には、周方向に溝が形成されており、先端部２８ｃの内径には、凸条もしくは突起２８ｅが形成されて、基端部２８ａ外周の溝内に入り込んでいる。このように、曲折部２８ｄよりも先端側で回動可能に足受けフレーム３０が接合されることで、幅方向に関して、相対的な位置変化を小さくとどめることができ、完全に折り畳んだ時に、よりコンパクトにすることができる。
これにより、中間ロッド２８は、コネクタ２２に対して、軸方向に回動しないが、足受けフレーム３０の先端部２８ｃは、コネクタ２２に対して、矢印Ｇに沿った軸方向に回動できるようになっている。
尚、このような構造においては、基端部２８ａの外周にピンまたは凸条を、先端部２８ｃの内周に周方向に沿った溝を形成して、かみ合わせもよいことは勿論である。
【００３５】
一方、中間ロッド２８のコネクタ２２から露出した上端２８ｂは、図４に示すように、外周から外方へ延びるピン２８ｆを上下に有しており、背もたれフレームの下端３２には、ピン２８ｆを受容するように、長手方向に延びる長孔３２ａが開口している。これにより、上端２８ｂのピン２８ｆを背もたれフレームの下端３２の長孔３２ａに挿入することにより、背もたれフレームが中間ロッド２８に対して回動する事を防ぎつつ、着脱自在に取り付けられている。
これにより、中間ロッド２８の上端２８ｂと、背もたれフレームの下端３２が接続されている状態においては、足受けフレーム３０と中間ロッド２８の下端である基端部２８ａの回動が、背もたれフレームとの接続により阻止されるようになっており、フレーム体２１を分解して折り畳む際には、中間ロッド２８の上端２８ｂと、背もたれフレームの下端３２との接続を解除してから行うようになっている。
【００３６】
コネクタ２２によるフレーム支持構造は以上のようになっており、次に、フレーム体２１の折り畳み手順を説明する。
先ず、図２のフレーム体２１において、背もたれ３１は、図４の構造に基づいて取り外しがされ、連結ロッド３６の片方の端部もコーナ部材３５から後述する方法により外される。
【００３７】
図５は、この段階におけるフレーム体２１の右側面を側方から見た図であり、足受けフレーム３０の基端部２８ａの曲折部２８ｄの傾斜角度を示す矢印Ｄは、やや上方を向くことで、足受けフレーム３０がせりあがった位置とされている。この図では、足受けフレーム３０には、スポンジ等の柔軟体もしくは弾性体によるカバー３０ａ（後述）が装着されている。
【００３８】
次に、図６に示すように、傾斜ロッド２５の図３で説明した軸回りの回動機能に基づいて、コネクタ２２を、その仮想の中心軸Ｃの周囲で、矢印Ｉ方向に回動させると、傾斜ロッド２５は中間ロッド２８よりも内側に変位しつつ、水平ロッド２６を矢印方向へ移動させ、その先端が斜めに内方へ向かうようにする。これにより、傾斜ロッド２５の有している傾斜角度（図２の傾斜ロッド２５の前方先端の角度）は、徐々に水平方向に倒されることで、床面に対する高さ方向の大きさが小さくなっていき、矢印Ｉ方向に、約１５０度程度回動した時に、ほとんどゼロとなる。この状態では、足受けフレーム３０の傾斜角度は、まだほとんど変化していない。
【００３９】
この状態から続く図７において、傾斜ロッド２５の図３で説明した軸回りの回動機能に基づいて、コネクタ２２を、その仮想の中心軸Ｃの周囲で、図６とは反対の矢印Ｊ方向へ回動させ、図５で説明した先端部２８ａの矢印Ｄの上向きの角度を回動させると、下向きとすることができる。この時、先端部２８ｃは基端部２８ａに対して、図３で説明するように、軸回りに回動して、足受けフレーム３０にねじり方向の力がはたらかないようにすることができる。これと同時に、傾斜ロッド２５は、傾斜の向きを水平方向に沿わせた状態で、つまり、高さ方向に小さな状態を維持しながら、再び、中間ロッド２８より外側に位置することになる。この状態では、水平ロッド２６は、先端部が斜めに対角線方向に向かう。
【００４０】
かくして、図８に示すように、フレーム体２１は折り畳まれる。この場合、脚部フレーム２７を構成する傾斜ロッド２５は、その傾斜方向を水平にされることで、高さ方向の大きさがほぼゼロとされる。また、足受けフレーム３０もその基端部２８ａの上向きの傾斜角度Ｄが、その傾斜方向を内向きとされることにより、先端部２８ｃを含む足受けフレーム３０を水平ロッド２６とほぼ同じ平面上に位置させることができる。これにより、折り畳み後のフレーム体２１は、分解された形態で、高さ方向にきわめて小さく折り畳まれているので、収納に場所をとらず、コンパクトとなるとともに、持ち運び、携帯の際にも、小さくされたことにより取扱いがきわめて容易となる。また、この状態では、フレーム体２１は、完全に分解されないので、使用者がばらばらになった個々の部品を組み立てるために誤って組み立ててしまい、組み立て構造が不適切となった状態で使用することで事故が起こることが防止できると共に、また、この状態からの組み立てにおいても作業が容易となる。
尚、図８において、符号３０ａで示すのは、パイプ状の柔軟な材料で形成された足受けフレーム３０のカバーである。カバー３０ａは足受けフレーム３０の形状にそって、その周囲を覆うことができる形態とされている。このため、比較的身体が大きい乳幼児が使用した場合でも、足を大きく動かした時に、足が足受けフレーム３０に当たった時の衝撃を吸収できると共に、シート体４０をフレーム体２１にかぶせる際に、適切な張りを持たせることができる。
【００４１】
図９は、連結ロッドをコーナ部材に接続する様子を示す概略斜視図である。
この折り畳みシート２０の一対の脚部フレーム２７，２７（図２参照）の一部である水平ロッド２６，２６の各終端部には、第１のコーナ部材３４と第２のコーナ部材３５とが設けられている。
一方のコーナ部材である第１のコーナ部材３４には、図８に示すように、連結ロッド３６の一端が回動可能に固定されており、第１のコーナ部材３４と連結ロッドの一端は分離できない。
【００４２】
これに対して、連結ロッド３６の他端には、連結部材３７が接続されており、この連結部材３７を第２のコーナ部材３５の開口３５ｂに挿入して、連結部材３７の操作片３８を操作することにより、連結ロッド３６の他端と第２のコーナ部材３５とが着脱されるようになっている。
【００４３】
図１０は、連結部材３７の詳しい構成を示す斜視図であり、図９とは逆の向きに描かれている。連結部材３７は、ブロック状の部材で、その挿入方向と直交する方向の断面が非円形とされており、楕円形、長円形、多角形、多角形に準じた形態等となるように構成されている。
この実施形態の場合には、図示のように、断面がほぼ長方形とされており、第２のコーナ部材３５の開口３５ｂ、もしくは内部空間の断面が、これに適合してほぼ長方形とされている。連結部材３７の本体には、連結ロッド３６が挿通する孔が貫通しており、連結ロッド３６を本体に挿通させて固定できるようになっている。
【００４４】
これにより、連結部材３７が第２のコーナ部材３５の開口３５ｂに挿入されて固定された場合には、連結ロッド３６の軸回りに回動することが阻止されるので、連結ロッド３６を介してフレーム体２１にねじり方向の応力が働いて、コーナ部材との接続箇所が外れることが防止され、これにより全体の剛性が向上されるようになっている。
【００４５】
さらに、連結部材３７には、その基端付近（図１０の右端付近）に形成されたヒンジ３８ｃにより矢印方向に揺動する操作片３８が設けられている。操作片の外側には、弾性を有する挟持片でなる係止突起３８ｂが設けられ、それよりも外側には、係止突起３８ｂとは反対の方向に沿ったつまみ片３８ａが一体に形成されている。
また、連結部材３７の本体には、この本体の一部の周囲を除去してなる溝３７ｂが、操作片３８の揺動により係止突起３８ｂが到達する位置に対応して設けられている。
【００４６】
一方、図１１には、第２のコーナ部材３５の構成が斜視図により詳しく示されている。第２のコーナ部材３５は、全体がほぼ三角形とされており、内部が空洞とされている。第２のコーナ部材３５の三角形の一辺の内側に沿って、連結ロッド３６の他端が固定された連結部材３７を受容する第１の開口３５ｂと、この開口３５ｂが連通する内部空間に連通した被係止手段としての第２の開口３５ａとが設けられている。
これにより、連結ロッド３６の他端が固定された図１０の形態の連結部材３７を開口３５ｂに挿入し、操作片３８を倒すことにより、係止手段としての係止突起３８ｂが、第２のコーナ部材３５の第２の開口３５ａに入り込む。これと同時に、第２のコーナ部材３５内部にある連結部材３７の本体の溝３７ｂに係止突起３８ｂが入り込むことにより、溝３７ｂを形成することで細くなった部分を係止突起３８ｂの挟持片が挟み込むことで、簡単に固定されるようになっている。また、取り外す際には、つまみ片３８ａを摘んで、引っ張るだけで、係止突起３８ｂの係止状態を解除できるので、簡単に着脱することができる。
【００４７】
図１２及び図１３は、フレーム体２１を覆うシート体４０が示されており、図１２はシート体４０の概略正面図、図１３はシート体４０の概略背面図である。
図１２において、シート体４０は本体７１が布製品，例えば、柔軟で、通気性に優れ、肌触りが良く、洗濯が容易な布素材等により、フレーム体２１の脚部フレーム２７を除く外形に沿う形状とされた袋状の部材として構成されている。
【００４８】
シート体４０は、図１３に示されているように、袋状の本体７１の下部に、本体７１を横断する第１の切り込み７３と、切り込み７３より下部において、縦方向の中心に沿った第２の切り込み７２を設けており、各切り込みに沿って、所定のスナップ等の係止手段を形成している。
これにより、スナップ等の係止手段を外して、第１及び第２の切り込み７３，７２を利用して、フレーム体２１に着脱されるようになっている。
【００４９】
図１２に示すように、シート体４０の表面の中央付近には、保持部５０が設けられている。
保持部５０は、乳幼児の身体の少なくとも下半身部分を保持するためのものである。この保持部５０は、乳幼児の身体の両足を通過させる２つの貫通孔５２，５２の間を形成する股当て部５１と、この股当て部５１の上端付近５３を左右方向に関して支持すると共に、この支持状態を左右方向の少なくとも一方、この実施形態では、両端部で固定解除する２つの着脱ベルト５５，５５が設けられている。
【００５０】
着脱ベルト５５，５５は、図１３に示されているように、シート体４０の本体７１において、上述した股当て部５１の上端付近５３に対応した位置で、本体７１を横方向を横切るように配置された一本のベルトで、例えば、一定の強度を有する布製である。着脱ベルト５５，５５は、図１３に示すように、本体７１の背面において、背面の両端よりも、やや内側の位置，例えば５ｃｍ程度内側の位置に縫着等の手段により固定箇所５６，５６が設けられている。この固定箇所５６，５６よりも先端側は、フリーとされていて、各先端には、クリップの雄部材等の係止手段７４，７４がそれぞれ取り付けられており、各係止手段７４，７４は、それぞれ、図１２の保持部５０の股当て部５１の上端付近５３の両側端部に設けたクリップの雌部材等の被係止手段５４，５４と着脱されるようになっている。
【００５１】
このように保持部５０は、その被係止手段５４，５４に着脱ベルト５５，５５の各係止手段７４，７４が係止されることにより、全体として、パンツの一部のような形態となり、乳幼児の下半身を保持するようになっている。そして、一方の着脱ベルト５５を外すと、保持部５０は開いて、乳幼児が保持部５０から容易に開放されるようになっている。
【００５２】
さらに、シート体４０には、図１３に示すように、背もたれフレーム３１に支持された領域の中央付近である本体７１の背面に、袋状の収容部５７が形成され、収容部５７の上端には、幅方向全体に開く開口部５７ａが設けられている。これにより、収容部５７はポケット状の収容部となっている。この収容部には、図１４に示す背当て部材５８が、シート体４０の内部に収容されるようになっている。  この背当て部材５８は、図１４に示すように、平板な長方形等の一定面積の広がりをもつ形状とされた板体である。背当て部材５８は、例えば、乳幼児の背中が丸まるくなって姿勢が悪くなることを防ぐため、一定の平らな当接面を確保できるようにするため、乳幼児の重さを支える硬さを備え、若干たわむ程度の素材が選択され、例えば、ポリプロピレンやポリカーボネートの材料で形成するのが好適である。背当て部材５８には、複数もしくは多数の貫通孔５８ａが形成されていて、その分重量が軽く、通気性に優れている。
【００５３】
そして、この背当て部材５８は、例えば、図１５に示すように、ポケット状の収容部５７の開口部５７ａから挿入したり、引き出したりできるようになっている。これにより、収容部５７に背当て部材５８を収容した状態においては、シート体４０の上に載せられる乳幼児に対して、一定の硬さに基づく心地よい使用感を与える。また、その背中に汗をかきやすい乳幼児にとって、特に通気性が配慮されているため、汗が乾きやすく、むれないという利点がある。
【００５４】
図１５は、折り畳みシート２０のフレーム体２１を折り畳んだ状態を示しいる。
図１５の例では、コーナ部材３５に固定されている脚部フレームの水平ロッド２６を、一方の着脱ベルト５５で仮止めし、コーナ部材３４に固定されている脚部フレームの水平ロッド２６及び連結ロッド３６を図１６に示すように束ねて、他方の着脱ベルト５５で仮止めしている。すなわち、上述したように、着脱ベルト５５の係止手段７４と、対応する表側の保持部５０の被係止手段を係止させた際に形成されるループ内に、対応する脚部フレームを通して保持させることにより、これらを仮固定することができる。
これにより、折り畳みシート２０のフレーム体２１のうち、最も高さに影響する脚部フレーム２７だけを簡易的に折り畳んだ状態において、脚部フレーム２７がバタついて、邪魔になることがないから、移動や収納において取扱いが容易となる。
このように、シート体４０及び背もたれフレーム３１を外し、脚部フレーム２７及び足受けフレーム３０の高さを平面的にするという、分解に近いコンパクトな折り畳み形態だけでなく、脚部フレーム２７だけを折り畳むという簡易的な折り畳みも可能であり、使用者は状況によって折り畳み方法を適宜選択することができる。
【００５５】
次に、図１の幌６０の構成について説明する。
図１において、幌６０は、幌用フレーム６１と、例えば布製の本体６２を有している。
幌６０は、図１に矢印Ｋで示す方向に開閉されるようになっており、この実施形態では、矢印Ｋ方向の予め決められた位置で開閉状態を保持できるようになっている。
幌本体６２は、図１に示すように、背もたれフレーム３１の上部と、幌用フレーム６１に装着される袋状の形態を有している。
【００５６】
図２に示すように、幌用フレーム６１のＵ字状の端部には、外方に僅かに突出する固定用突起６１ａ，６１ａが一体に設けられている。
これに対して、幌用フレーム６１を固定する固定手段６５が、図１７及び図１８に示されている。図１７は、固定手段６５の外側を示す概略斜視図、図１８は、固定手段６５の内側を示す概略斜視図である。
これらの図において、固定手段６５は、フレームクリップ部６６を備えており、図２のフレーム体２１の背もたれフレーム３１の平行に形成された部分を、このフレームクリップ部６６で挟むようになっている。より正確には、図１に示されているように、幌用フレーム６１の両端部に設けられた固定手段６５のフレームクリップ部６６は、背もたれフレーム３１の平行に形成された部分を、その上に被せたシート体４０の上から固定するように挟むことで、幌用フレーム６１を固定するようになっている。
【００５７】
すなわち、固定手段６５のフレームクリップ部６６は、背もたれフレーム３１の下端３２を通すための筒状の本体の一部が開放されており、この開放された開口を上下に挟むように対向した開口舌片６７，６７が設けられている。開口舌片６７，６７は、それぞれやや外側に開いた外縁を備えており、背もたれフレーム３１の平行とされた部分を受容する際の案内を行う案内手段となっている。フレームクリップ部６６は、一体に形成された開口舌片６７，６７を含んで、全体として、例えば弾性を有する合成樹脂や金属により形成されており、背もたれフレーム３１の下端３２を受容する時は、弾性に抗して開口舌片６７，６７を開くことが出来、また、開口舌片６７，６７が弾性に基づいて、元に戻ることで、筒状のフレームクリップ部６６内に背もたれフレーム３１の平行とされた部分を保持するようになっている。
【００５８】
フレームクリップ部６６の外縁からは、ほぼ三角形の壁状の軸受け部６８が一体に起立しており、中心に軸孔６８ａが形成されている。
図１から理解されるように、この固定手段６５を二つ用意して、背もたれフレーム３１の左右の平行とされたパイプに、図１７に表れている面を外側に向けて装着される。この時、フレームクリップ部６６は、背もたれフレーム３１の平行した部分を、その上に被せたシート体４０の上から挟むようにする。
なお、幌用フレーム６１の各固定用突起６１ａ，６１ａは予め各軸受け部６８，６８の各軸孔６８ａ，６８ａに、外せないように差し入れられる。これにより、幌用フレーム６１は、図１の矢印Ｋ方向に沿って回動できる状態で、シート本体２０に保持される。
【００５９】
ここで、固定手段６５の軸受け部６８の内側には、図１８に示すような位置決め手段６９が形成されている。
すなわち、軸受け部６８の上端付近には、矢印Ｋ方向の所定回転角度に対応して、幌用フレーム６１の外周に適合した曲面状の凹部６９ａ，６９ｂが、例えば、一定回転角度毎に形成されている。これにより、幌用フレーム６１が矢印Ｋ方向に回動した場合に、幌用フレームが若干撓み、その後復元することで、各凹部６９ａ，６９ｂに選択的に入り込み、その回転角度に対応した位置で、幌用フレーム６１の開度を保持することができる。
【００６０】
このように、幌６０は、その幌用フレーム６１をフレーム体２１に対して、シート体４０の上から簡単に着脱できるので、幌６０を使用したり、使用をやめたりといった場面で、いちいちシート体４０を着脱する必要もなく、操作がきわめて簡単である。
また、幌６０は、予め決められた複数の箇所で、開き位置を保持できるので、ほぼ任意の位置に幌６０を開いて、その状態を簡単に保持できる。
【００６１】
本発明は、上述の実施形態に限定されるものではない。例えば、フレームの種類と本数は、実施形態の場合よりも多くしたり、減らしたりできるし、より短いフレームに分割できるようにしてもよい。さらに、脚部フレーム２７の傾斜ロッド２５と、水平ロッド２６の高さを低減するために、一定の角度で曲折された部位（図１の先端側）を、ヒンジ等により折れ曲がるように構成し、足受けフレーム３０を回動させることとあわせて、平面的に折り畳めるようにしてもよい。
上述の実施形態における各構成は、必要により、その一部を省略したり、他の構成と入れ換えて、ことなる構成の組み合わせのもとで実施されてもよい。
【００６２】
【発明の効果】
以上述べたように、本発明によれば、組み立てた状態においては、乳幼児は、やや上を向いた足受けフレームにより、シート体の足受けフレーム側を水平状態に近づけて、身体の安定を図ることができ、折り畳んだ状態では、この上向きの傾斜がほとんど障害となることなく、ほぼフラットな形態にまとめることができる乳幼児用折り畳みシートを提供することができる。
【図面の簡単な説明】
【図１】本発明による乳幼児用折り畳みシートの実施形態の概略斜視図である。
【図２】図１の乳幼児用折り畳みシートのフレーム体を示す概略分解斜視図である。
【図３】図１の乳幼児用折り畳みシートのコネクタの概略断面図である。
【図４】図２のフレーム体の背もたれフレームと中間ロッドとの接続構造の一例を示す概略斜視図である。
【図５】図１の乳幼児用折り畳みシートの折り畳み前におけるフレーム体の一部を示す概略斜視図である。
【図６】図１の乳幼児用折り畳みシートの折り畳み途中におけるフレーム体の一部を示す概略斜視図である。
【図７】図１の乳幼児用折り畳みシートの折り畳み後におけるフレーム体の一部を示す概略斜視図である。
【図８】図１の乳幼児用折り畳みシートの折り畳み後におけるフレーム体の全体を前方から示す概略斜視図である。
【図９】図１の乳幼児用折り畳みシートの連結ロッドとコーナ部材との接続の様子を示す概略斜視図である。
【図１０】図９の連結ロッドに取り付ける連結部材の一例を示す概略斜視図である。
【図１１】図９の連結部材を接続するコーナ部材の一例を示す概略斜視図である。
【図１２】図１の乳幼児用折り畳みシートのシート体の概略正面図である。
【図１３】図１の乳幼児用折り畳みシートのシート体の概略背面図である。
【図１４】図１の乳幼児用折り畳みシートのシート体に収容される背当て部材の一例を示す概略斜視図である。
【図１５】図１の乳幼児用折り畳みシートの折り畳まれた状態の概略底面図である。
【図１６】図１５の脚部フレームの仮固定状態を示す概略拡大斜視図である。
【図１７】図１の乳幼児用折り畳みシートの幌フレームを固定するための固定手段の外側から見た概略斜視図である。
【図１８】図１の乳幼児用折り畳みシートの幌フレームを固定するための固定手段の内側から見た概略斜視図である。
【図１９】従来の乳幼児用折り畳みシートの概略斜視図である。
【図２０】図１９の乳幼児用折り畳みシートのフレーム体を示す概略斜視図であり、足受けフレームのみ、図１９の構成と変更した状態を示している。
【符号の説明】
２０・・・乳幼児用折り畳みシート、２１・・・フレーム体、２２，２２・・・コネクタ、２５・・・傾斜ロッド、２６・・・水平ロッド、２７・・・脚部フレーム、３０・・・足受けフレーム、３１・・・背もたれフレーム、４０・・・シート体
【図１】
0004045088.tif 000002
【図２】
0004045088.tif 000003
【図３】
0004045088.tif 000004
【図４】
0004045088.tif 000005
【図５】
0004045088.tif 000006
【図６】
0004045088.tif 000007
【図７】
0004045088.tif 000008
【図８】
0004045088.tif 000009
【図９】
0004045088.tif 000010
【図１０】
0004045088.tif 000011
【図１１】
0004045088.tif 000012
【図１２】
0004045088.tif 000013
【図１３】
0004045088.tif 000014
【図１４】
0004045088.tif 000015
【図１５】
0004045088.tif 000016
【図１６】
0004045088.tif 000017
【図１７】
0004045088.tif 000018
【図１８】
0004045088.tif 000019
【図１９】
0004045088.tif 000020
【図２０】
0004045088.tif 000021